(57)【要約】【課題】１台の踏み台等の天板の倍に広がる伸縮式で、拡がったものが離れず、収納時は一体になる、簡単な構造で堅牢な踏み台等を提供する。【解決手段】天板の四隅に脚体を有するほぼ同形同大で天板の高さが同じ踏み台を２つ設け、一方を主踏み台１、他方を第１補助踏み台４とし、踏み台１又は第１補助踏み台４の４本の脚体の内、一対の脚体を前方とし、他対の脚体を後方とした場合、主踏み台１の前方の対の脚体３ａの外側面間の幅を後方の対の脚体３ｂの外側面間の幅より狭くし、第１補助踏み台４は、前方の対の脚体６ａを主踏み台１の後方の脚体３ｂの外側に位置するように天板５の両側に設け、第１補助踏み台４の前方の対の脚体６ａから係止片７を夫々内側に向けて突設し、当該係止片７は、主踏み台１の前方の対の脚体３ａには係止せず、後方の脚体３ｂに係止する構成とした。【選択図】      図１
2013129958.tif 000002
【特許請求の範囲】
【請求項１】
天板の四隅に脚体を有するほぼ同形同大で天板の高さが同じ踏み台等を２つ設け、一方を主踏み台等とし、他方を第１補助踏み台等とし、各踏み台等の４本の脚体の内、一対の脚体を前方とし、他対の脚体を後方とした場合、
主踏み台等の前方の一対の脚体を前記天板の左右両側縁より内側に設け、かつこれらの脚体の外側面間の幅を後方の一対の脚体の外側面間の幅より狭くし、
前記第１補助踏み台等の前方の一対の脚体を主踏み台等の後方の脚体の外側に位置するように天板の左右両側縁に設け、また、後方の一対の脚体を、主踏み台等の上に第１補助踏み台等を重ねた際、主踏み台等の後方の一対の脚体の後方又は左右両側に位置するように設け、
前記第１補助踏み台等の前方の一対の脚体から係止片を夫々内側に向けて突設し、第１補助踏み台等を主踏み台等の上に重ねた際、前記各係止片は主踏み台等の天板の下方内側に突出するが当該係止片の先端は主踏み台等の前方の一対の脚体の各外側面位置には至らず、かつ、第１補助踏み台等を主踏み台等の後方に並べた際、前記係止片が主踏み台等の後方の脚体を係止し、第１補助踏み台等の後方への動きが前記係止片により規制される構成とした伸縮式踏み台等
【請求項２】
主踏み台等の天板の後方端縁上面が後方に向けて下方に傾斜した傾斜縁とし、第１補助踏み台等の天板の前方端縁下面が後方に向けて下方に傾斜した傾斜縁とし、
第１補助踏み台等を主踏み台等の後方に引き出して並べた際、主踏み台等の後方の前記傾斜縁と第１補助踏み台等の前方の前記傾斜縁とが重なり、各天板が水平となる構成であることを特徴とする、請求項１に記載の伸縮式踏み台等。        
【請求項３】
第１補助踏み台等を主踏み台等の上に重ねて載せた際、第１補助踏み台等と主踏み台等を係止自在な係止手段を設けたことを特徴とする、請求項１又は２に記載の伸縮式踏み台等。
【請求項４】
主踏み台等の脚体に複数の脚体相互に渡した補強用梁を設けたことを特徴とする、請求項１〜３のいずれかに記載の伸縮式踏み台等。
【請求項５】
第１補助踏み台等を主踏み台等の上に重ねて載せた際、第１補助踏み台等の各脚体の下端に、主踏み台等の脚体の下端位置まで伸びる伸縮脚を伸縮、固定自在に設けたことを特徴とする、請求項１〜４のいずれかに記載の伸縮式踏み台等。
【請求項６】
前記主踏み台等及び第１補助踏み台等とほぼ同形同大の第２補助踏み台等を設け、
当該第２補助踏み台等の前方の一対の脚体は天板の左右の両側から垂下させ、当該第２補助踏み台等を第１補助踏み台等の上に載せた際、前方の一対の脚体は、第１補助踏み台等の前方の一対の脚体の後ろに位置し、
後方の一対の脚体は第１補助踏み台等の後方の一対の脚体の両側又は後方に位置し、
また、第２補助踏み台等の前方の一対の各脚体から横断面鍵型の係止片を回転自在に設け、定位置では、係止片の先端部が天板の両側縁の下方内側に突出し、回転位置では天板の両側縁下方に突出しない形状であり、
当該第２補助踏み台等を、前記主踏み台等の後方に並べた第１補助踏み台等の後方に並べた際、前記係止片を定位置に回転させると前記第１補助踏み台等の後方の一対の各脚体を係止し、第２補助踏み台等の後方への動きが前記係止片により規制される構成であることを特徴とする、請求項１〜５のいずれかに記載の伸縮式踏み台等。
【請求項７】
前記係止片と前方の脚体との間にバネを設け、当該バネは、前記係止片を常時定位置に付勢していることを特徴とする、請求項６に記載の伸縮式踏み台等。
【請求項８】
前記第２補助踏み台等を第１補助踏み台等の上に重ねて載せた際、第２補助踏み台等と第１補助踏み台等を係止自在な係止手段を設けたことを特徴とする、請求項６又は７に記載の伸縮式踏み台等。
【発明の詳細な説明】
【技術分野】
【０００１】
この発明は、踏み台、テーブル、机、作業台等であって、天板面が伸縮するものに関するものである。
【背景技術】
【０００２】
従来、これらの踏み台、テーブル、机、作業台等では、必要な時に天板を広げたり、また、不要時には狭めたりする構成の物がある。これらのテーブル等を広げるものは、天板の脇に補助板を、蝶番を介して設け、常時は折り畳んでおき必要時に補助板を広げて、天板を広く使う構成となっているものが多い。
【０００３】
しかし、このタイプのものは、補助板の折り畳み収納や支持荷重の問題から補助板をテーブル本体の天板と同じ大きさのものはなく、あくまで天板よりはかなり小さな面積の補助板となってしまう。そこで、大小のテーブル等を設けて、大型のテーブルの下に小型のテーブルを収納しておき、必要時に小型のテーブルを大型のテーブルの下から引き出して使用するものがある。この場合、大型のテーブルと小型のテーブルでは天板の高さが異なり、使い勝手が悪い。
【０００４】
特許文献１のものは、この点を考慮して開発されたもので、常時は、大型のテーブルの下に小型のテーブルを収納しており、必要時に小型のテーブルを引きだすとともに、小型のテーブルを引き出した後、小型のテーブルの天板を、大型のテーブルの天板と同じ高さまで引き上げる装置を設けたものである。
【０００５】
一方、１個のテーブルでは、天板が狭い場合に複数の同形同大のテーブル等を並べて使用している。しかしながら、これらのテーブル等は、不要時には嵩張るため、順に上に積み重ねていく構成としている。
【０００６】
特許文献２のものは、このような、スタキング式テーブルであり、積み重ねの際、テーブルの脚が邪魔にならないように、脚の位置をずらしたり、回転させたりできるものである。
【０００７】
【特許文献１】特許第４６４０９５５号公報
【特許文献２】特開平８−１００４８号公報
【発明の開示】
【発明が解決しようとする課題】
【０００８】
しかしながら、特許文献１のものは、小型のテーブルを引き出した際、天板を引き上げる装置を有するため、構造が複雑となり、また、重量も重くなり、その分小型のテーブルの引出しや収納作業に手間がかかる。また、引き上げや引下げに際しても引手ハンドルを回転させて天板を引き上げ又は引下げる作業が必要であり、手間のかかるものである。
【０００９】
また、特許文献２等のスタキング式テーブルは、複数の同形同大のテーブルを並べるため、天板は同一面になるが、収納の際、上から重ねていくため手間がかかる。さらに、複数のテーブルを並べた場合、個々のテーブルが相互に接続されていないため、ちょっとした衝撃により離れてしまい、テーブルの上に載置したものが落ちてしまう恐れがある。これを踏み台に用いた場合は、踏み台に乗った人が不安定となり、安全性に欠ける。また、相互に係止接続されていないため複数のテーブル等が紛失する恐れもある。
【００１０】
そこで、この発明は、これらの従来技術に鑑み、１台の踏み台等の天板の倍に広がる伸縮式で、拡がったものが離れず天板が連続して形成され、収納時は一体になり安定して使用できる、簡単な構造で堅牢な踏み台等を提供することを目的としたものである。
【課題を解決するための手段】
【００１１】
請求項１の発明は、天板の四隅に脚体を有するほぼ同形同大で天板の高さが同じ踏み台等を２つ設け、一方を主踏み台等とし、他方を第１補助踏み台等とし、各踏み台等の４本の脚体の内、一対の脚体を前方とし、他対の脚体を後方とした場合、主踏み台等の前方の一対の脚体を前記天板の左右両側縁より内側に設け、かつこれらの脚体の外側面間の幅を後方の一対の脚体の外側面間の幅より狭くし、前記第１補助踏み台等の前方の一対の脚体を主踏み台等の後方の脚体の外側に位置するように天板の左右両側縁に設け、また、後方の一対の脚体を、主踏み台等の上に第１補助踏み台等を重ねた際、主踏み台等の後方の一対の脚体の後方又は左右両側に位置するように設け、前記第１補助踏み台等の前方の一対の脚体から係止片を夫々内側に向けて突設し、第１補助踏み台等を主踏み台等の上に重ねた際、前記各係止片は主踏み台等の天板の下方内側に突出するが当該係止片の先端は主踏み台等の前方の一対の脚体の各外側面位置には至らず、かつ、第１補助踏み台等を主踏み台等の後方に並べた際、前記係止片が主踏み台等の後方の脚体を係止し、第１補助踏み台等の後方への動きが前記係止片により規制される構成とした伸縮式踏み台等とした。
【００１２】
また、請求項２の発明は、請求項１の発明において、主踏み台等の天板の後方端縁上面が後方に向けて下方に傾斜した傾斜縁とし、第１補助踏み台等の天板の前方端縁下面が後方に向けて下方に傾斜した傾斜縁とし、第１補助踏み台等を主踏み台等の後方に引き出して並べた際、主踏み台等の後方の前記傾斜縁と第１補助踏み台等の前方の前記傾斜縁とが重なり、各天板が水平となる構成である伸縮式踏み台等とした。
【００１３】
また、請求項３の発明は、請求項１又は２の発明において、第１補助踏み台等を主踏み台等の上に重ねて載せた際、第１補助踏み台等と主踏み台等を係止自在な係止手段を設けた伸縮式踏み台等とした。
【００１４】
また、請求項４の発明は、請求項１〜３のいずれかの発明において、主踏み台等の脚体に複数の脚体相互に渡した補強用梁を設けた伸縮式踏み台等とした。
【００１５】
また、請求項５の発明は、請求項１〜４のいずれかの発明において、第１補助踏み台等を主踏み台等の上に重ねて載せた際、第１補助踏み台等の各脚体の下端に、主踏み台等の脚体の下端位置まで伸びる伸縮脚を伸縮、固定自在に設けた伸縮式踏み台等とした。
【００１６】
また、請求項６の発明は、請求項１〜５のいずれかの発明において、前記主踏み台等及び第１補助踏み台等とほぼ同形同大の第２補助踏み台等を設け、当該第２補助踏み台等の前方の一対の脚体は天板の左右の両側から垂下させ、当該第２補助踏み台等を第１補助踏み台等の上に載せた際、前方の一対の脚体は、第１補助踏み台等の前方の一対の脚体の後ろに位置し、後方の一対の脚体は第１補助踏み台等の後方の一対の脚体の両側又は後方に位置し、また、第２補助踏み台等の前方の一対の各脚体から横断面鍵型の係止片を回転自在に設け、定位置では、係止片の先端部が天板の両側縁の下方内側に突出し、回転位置では天板の両側縁下方に突出しない形状であり、当該第２補助踏み台等を、前記主踏み台等の後方に並べた第１補助踏み台等の後方に並べた際、前記係止片を定位置に回転させると前記第１補助踏み台等の後方の一対の各脚体を係止し、第２補助踏み台等の後方への動きが前記係止片により規制される構成である、伸縮式踏み台等とした。
【００１７】
また、請求項７の発明は、請求項６の発明において、前記係止片と前方の脚体との間にバネを設け、当該バネは、前記係止片を常時定位置に付勢している、伸縮式踏み台等とした。
【００１８】
また、請求項８の発明は、請求項６又は７の発明において、前記第２補助踏み台等を第１補助踏み台等の上に重ねて載せた際、第２補助踏み台等と第１補助踏み台等を係止自在な係止手段を設けた伸縮式踏み台等とした。
【発明の効果】
【００１９】
請求項１〜８の発明では、主踏み台等と第１補助踏み台等とは略同形同大で天板の高さが同じであるので、主踏み台等の後方に第１補助踏み台等を並べた場合、主踏み台等の天板と第１補助踏み台等の天板とほぼ同じ大きさであるため当該踏み台等の天板が２倍に広がると同時に、各天板上面が面一となり使用しやすい。
【００２０】
しかも、主踏み台等と第１補助踏み台等とは、第１補助踏み台等の一対の脚から突出する係止片で、主踏み台等の後方の一対の脚部が係止されるため、第１補助踏み台等を伸ばして広げて並べて使用している場合でも、第１補助踏み台等の天板と主踏み台等の天板との継ぎ目がつながっており、外部からの衝撃があっても相互に離れず、安全である。従って、作業者がこの天板の上を移動したりする際につまずいて転んだりすることがなく、安全に移動できる。また、この様に主踏み台等と第１補助踏み台等がつながっているため、一方が紛失することも無い。
【００２１】
また、第１補助踏み台等を主踏み台等の上に重ねると天板が略同じ大きさのため一体となり、また、主踏み台等の天板の上に第１補助踏み台等の天板が重なるため、当該踏み台等の設置面に対して第１補助踏み台等の天板が平行となるので、この状態おいても踏み台等として安定して使用できる。また、重ねて使用している場合でも、第１補助踏み台等の後方の一対の脚体が、主踏み台の後方の一対の脚体の真後ろに来ているため、第１補助踏み台等はそこで動きが抑止され、外れることがない。
【００２２】
また、上記のように第１補助踏み台等を主踏み台等から離すそうとすると、第１補助踏み台等の前方の一対の脚体から夫々突出する係止片が主踏み台の後方の一対の各脚体を係止し、後方への動きを規制される。しかし、この場合においても前記係止片が主踏み台等の天板の下面から離れた位置に突出しているため、第１補助踏み台等は主踏み台等に対してやや上に持ち上げることが出来、さらに第１補助踏み台等を主踏み台との上に重ねた際も前記係止片は主踏み台等の天板の下面からやや離れた位置に突出しているため、第１補助踏み台等をやや持ち上げたりできる。
【００２３】
それ故、第１補助踏み台等を主踏み台等に対して引き出したり収納したりする際、第１補助踏み台等は自由度が大きく容易に動かすことが出来る。従って、この発明では主踏み台等や第１補助踏み台等にスライド機構としてレールがなく、構造が簡単であるにもかかわらず、第１補助踏み台等を主踏み台等に対して広げたり、重ねたりする際作業者は片手でスムーズに行うことができる。
【００２４】
また、請求項２の発明では、第１補助踏み台等を、主踏み台等の後方に伸ばして並べる際、それぞれの突き合わせ箇所の傾斜縁相互を重ねることにより、これらの傾斜縁同士がガイドとなり、第１補助踏み台等と主踏み台等とを突き合せやすい。また、第１補助踏み台等と主踏み台等を隙間なく一体に並べることが出来る。また、この場合は、主踏み台等の後方の一対の脚体と第１補助踏み台等の前方の一対の脚体とが左右両側で重なり、係止片を大きく前方に伸ばす必要がない。
【００２５】
また、請求項３の発明によれば、第１補助踏み台等を主踏み台等の上に重ねて載せた際、これらの踏み台等を係止手段で係止できるため、この状態で使用する際、第１補助踏み台等がずれたりがたついたりせず、より安定性が良い。
【００２６】
また、請求項４の発明によれば、主踏み台等がより堅牢になるため、第１補助踏み台等を主踏み台等に載せた場合に、人がこの上に乗っても十分荷重に耐えられる。
【００２７】
また、請求項５の発明によれば、第１補助踏み台等を主踏み台等に載せた場合に、第１補助踏み台等の脚体の下端は、床や地面から離れるが、伸縮脚を伸ばすことによって、８本の脚体で全体の踏み台等を支えることとなり、人がこの上に乗っても十分荷重に耐えられる。
【００２８】
また、請求項６の発明によれば、主踏み台等、第１補助踏み台等及び第２補助踏み台等は略同形同大で天板の高さが同じであるので、主踏み台等の後方に第１補助踏み台等、第２補助踏み台等を並べた場合、各踏み台等の天板がほぼ同じ大きさであるため当該踏み台等の天板が３倍に広がると同時に、各天板上面が面一となり使用しやすい。さらに、同構造で第３補助踏み台等を付加することも可能である。また、主踏み台等、第１補助踏み台等及び第２補助踏み台等を順に積み重ねた際も、各天板は略同じ大きさであり、これらが三重に重なるため、最上段の天板に作業者が上に乗っても安定する。その他、請求項１と同様な効果を有する。
【００２９】
請求項７の発明によれば、係止片が回動自在であるが、バネのより常時定位置にあるため、使用に際して使用しやすい。
【００３０】
請求項８の発明によれば、第２補助踏み台等と第１補助踏み台等を係止する係止手段を設けているため、これらを積み重ねて使用する場合、第１補助踏み台等と第２補助踏み台等とがずれたりがたついたりせず、より安定性が良い。
【発明を実施するための最良の形態】
【００３１】
この発明は、天板の四隅に脚体を有するほぼ同形同大で天板の高さが同じ踏み台等を２つ設け、一方を主踏み台等とし、他方を第１補助踏み台等とし、各踏み台等の４本の脚体の内、一対の脚体を前方とし、他対の脚体を後方とした場合、主踏み台等の前方の一対の脚体を前記天板の左右両側縁より内側に設け、かつこれらの脚体の外側面間の幅を後方の一対の脚体の外側面間の幅より狭くし、前記第１補助踏み台等の前方の一対の脚体を主踏み台等の後方の脚体の外側に位置するように天板の両側に設け、また、後方の一対の脚体を、主踏み台等の上に第１補助踏み台等を重ねた際、主踏み台等の後方の一対の脚体の後方に位置するように設け、前記第１補助踏み台等の前方の一対の脚体から係止片を夫々主踏み台等の天板の下方内側に向けて突設し、当該係止片の先端は主踏み台等の前方の一対の脚体の各外側面位置には至らず、かつ、第１補助踏み台等を主踏み台等の後方に並べた際、前記係止片が主踏み台等の後方の脚体を係止し、第１補助踏み台等の後方への動きが前記係止片により規制される構成とした伸縮式踏み台等とした。
【００３２】
これにより、踏み台等において、天板を広げて使用する場合は、第１補助踏み台等を主踏み台の後方に並べて使用でき、また不要時は第１補助踏み台等を主踏み台等の上に重ねて使用することが出来、かつこれらの踏み台は相互に係止され、むやみに外れない。
【実施例１】
【００３３】
以下、この発明の実施例１を図に基づいて説明する。この実施例１では主踏み台と第1補助踏み台の組合せから成る。図１はこの発明の主踏み台の上に第１補助踏み台を載せた状態を示す斜視図、図２は同状態における正面図、図３は主踏み台の後方に第1補助踏み台を引き出して並べた状態を示す斜視図、図４は同状態における平面図、図５は主踏み台の上に第1補助踏み台を載せた状態における平面図である。
【００３４】
図１〜図３に示すように、天板２の四隅に脚体３を有する主踏み台１と、これとほぼ同形同大で天板の高さが同じである、天板５の四隅に脚体６を有する第１補助踏み台４とが設けられている。これらの主踏み台１と第１補助踏み台４とは、主踏み台１の後方に第１補助踏み台４を並べたり、主踏み台１の天板２の上に第１補助踏み台４の天板５を重ねて使用することが出来る。
【００３５】
これらの各踏み台１又は４の各４本の脚体の内、一対の脚体３ａ又は６ａを前方とし、他対の脚体３ｂ又は６ｂを後方とした場合、主踏み台１の前方の一対の脚体３ａは、天板２の左右両側縁より内側に設けられ、後方の一対の脚体３ｂは天板２の左右両側縁位置に設けられている。これにより前方の一対の脚体３ａの外側面間の幅は後方の一対の脚体３ｂの外側面間の幅より狭くなっている。
【００３６】
また、前記第１補助踏み台４は、前方の一対の脚体６ａは夫々主踏み台１の後方の脚体３ｂの外側に位置するように天板５の左右両側縁に設けられ、さらに、前記第１補助踏み台４の後方の一対の脚体６ｂは、主踏み台１の上に第１補助踏み台４を重ねた際、主踏み台１の後方の一対の脚体３ｂの後方に位置するように設けられている。従って、この分天板５は、主踏み台１の天板２より後方に長くなっている。また、主踏み台１の上に第１補助踏み台４を重ねた際、主踏み台１の後方の一対の脚体３ｂの左右両側に位置するように設けても良い。この場合は、天板５と天板２とは同じ大きさとなる。
【００３７】
また、前記第１補助踏み台４の前方の一対の脚体６ａの前面夫々から略横断面鉤型の係止片７が夫々内側に向けて突設されている。また、当該各係止片７は、図２及び図５に示すように、主踏み台１の上に第１補助踏み台４を重ねた際、主踏み台１の天板２の下面からやや離れた位置で内側に突出し、かつ、主踏み台１の前方の一対の脚体３ａの各外側面位置には至らず、また、主踏み台１の後方に第１補助踏み台４を伸ばした際、図３及び図４に示すように、主踏み台１の後方の脚体３ｂの外側面より内側まで突出した長さとして、これらの係止片７は、主踏み台１の後方の脚体３ｂを係止する。
【００３８】
また、図６は前記第１補助踏み台４を主踏み台１の後方に並べた際の接続箇所の側面図であり、図７は、当該接続箇所の中央縦断面図である。図７に示すように、主踏み台１の天板２は後方端縁上面が後方に向けて下方に傾斜した傾斜縁２ａとし、また、第１補助踏み台４の天板５は前方端縁下面が後方に向けて下方に傾斜した傾斜縁５ａとしている。従って、第1補助踏み台４を主踏み台１の後方に引き出して並べた際、主踏み台１の後方の前記傾斜縁２ａと第1補助踏み台４の前方の前記傾斜縁５ａとが重なり、各天板２と５は略水平となる構成となっている。
【００３９】
これにより、図６及び図７に示すように、主踏み台１の後方の一対の脚体３ｂと第１補助踏み台４の前方の一対の脚体６ａとは左右方向の内側と外側で略重なる位置となり、また、これらの天板２及び５も接続面が離れず、面一に一体につながっている。また、これらの傾斜縁２ａと傾斜縁５ａは、第１補助踏み台４を引き出して主踏み台１に接続する際のガイドの役目を果たす。
【００４０】
また、図１及び２に示すように、第１補助踏み台４の前方の一方の脚体６ａに基部を回転自在に軸支された回転係止片８が設けられている。この回転係止片８の一側縁には切欠き８ａが設けられ、主踏み台１の天板２の前面に設けられたピン９に前記切欠き８ａを嵌めることにより、第１補助踏み台４は主踏み台１に係止される。
【００４１】
また、前記主踏み台１の前方の一対の脚体３ａと後方の一対の脚体３ｂとの間には、補強用梁１０が設けられており、さらにこれらの二つの補強用梁１０の間に枠体１１が設けられ、この枠体１１に道具箱等（図示省略）を置くことが出来るようになっている。また、前記第１補助踏み台４の天板５の略中央には、第1補助踏み台４を持ち上げるときに使用する把持用透孔１２が設けられている。
【００４２】
この発明は以上の構成であり、第１補助踏み台４を主踏み台１の上に載せた図１の状態において、主踏み台１の天板２の上に第１補助踏み台４の天板５が重なるため、第１補助踏み台４の天板５は主踏み台１の設置面に対して平行となり、踏み台として十分使用できる。この状態では回転係止片８がピン９に係止され、第１補助踏み台４は主踏み台１に係止されており、作業者が第１補助踏み台４の上に載っても踏み台は安定しており、荷重に耐えられる。
【００４３】
この状態から、回転係止片８をピン９から外し、係止を解くと、第１補助踏み台４の把持用透孔１２に手を入れて第１補助踏み台４をやや持ち上げ、これを後方にずらせば、第１補助踏み台４は移動可能である。その際、第１補助踏み台４の前方の脚体６ａから内側に突出した各係止片７の先端は、主踏み台１の前方の脚体３ａの外側面より外側に位置するので、前方の脚体３ａが邪魔にならない。また、各係止片７は第１補助踏み台４を主踏み台１の上に重ねた際、主踏み台１の天板２の下面からやや離れているため、第１補助踏み台４を主踏み台１からその分引き上げることができる。従って、作業者は第1補助踏み台４の天板５の把持用透孔１２に手を入れて、片手でスムーズに第1補助踏み台４を広げられる。
【００４４】
そして、図３に示すように、第１補助踏み台４を主踏み台１の後方にもっていくと、前記両側の係止片７の先端が、主踏み台１の後方の一対の脚体３ｂに引っかかり、これ以上第１補助踏み台４は後方に移動できない。その際、前述のように第1補助踏み台４の前端の傾斜縁５ａと主踏み台１の後端の傾斜縁２ａとを重ね合わせる。これにより主踏み台１と第１補助踏み台４との天板２及び５は面一となり、かつ、一体に接続される。また、この状態では前記各係止片７は主踏み台１の天板２の下面から離れた位置に突出している。
【００４５】
従って、この様に第１補助踏み台４を主踏み台１の後方に広げた際、天板の全体の大きさが主踏み台１の天板２の大きさの２倍となる。さらに、天板２と５は接続されており、継ぎ目が離れず、この上に乗った作業者が移動したりする際つまずいて転んだりすることがなく、安全である。
【実施例２】
【００４６】
図８は、前記実施例１とは異なる実施例２における主踏み台１と第１補助踏み台４の接続状態を示す側面図である。この場合は、主踏み台１の後端に傾斜縁２ａ及び第１補助踏み台４の前端の傾斜縁５ａを有しない構成である。この場合、第１補助踏み台４の前方の一対の脚体６ａと主踏み台１の後方の脚体３ｂとは重ならない。従って、係止片７は、前方に大きく伸びで、内側に折れ曲がった形状を成した係止片７´となる。他の構成は実施例１と同じである。
【実施例３】
【００４７】
また、図９は前記実施例１とは異なる実施例３を示す。前記実施例１では第１補助踏み台４を主踏み台１の上に重ねた場合に、第１補助踏み台４の前後の脚体６ａ及び６ｂは、床等から浮いてしまう。しかしこの実施例では、これらの脚体６ａ及び６ｂの下端に伸縮、固定自在な伸縮脚１３を設けたものである。これは、各脚体６ａ又は６ｂの下端が筒状となっており、各伸縮脚１３は、常時は脚体６ａ又は６ｂ内に収まっている。前記のように第１補助踏み台４を主踏み台１の上に載せた場合に、各伸縮脚１３を伸ばして使用する。
【００４８】
従って、各脚体６ａ及び６ｂの下端付近の側面に、コの字型のガイド孔１４を穿ち、伸縮脚１３の側面から突出した突起１３ａをこのガイド孔１４に通して構成している。この突起１３ａを常時はガイド孔１４の上端の折れ曲り部に入れ、伸縮時にガイド孔に沿って突起１３ａを下方に動かし、下端の折れ曲り部に入れると、伸縮脚１３は伸びた状態で固定される。
【００４９】
これにより、第１補助踏み台４を主踏み台１の上に重ねた際、主踏み台１の４本の脚体３ａ及び３ｂに加え、第１補助踏み台４の４本の脚体６ａ及び６ｂも床等に当接し、合計８本の脚体で踏み台全体に係る荷重を受けることが出来る。
【実施例４】
【００５０】
前記実施例１〜３は、主踏み台１と第１補助踏み台４との組み合わせであるが、図１０〜図１４に示す実施例４は、第１補助踏み台４の上に載置自在でかつ第１補助踏み台４の後方に一体に並べられる第２補助踏み台１５を設けたものである。
【００５１】
この第２補助踏み台１５は、第１補助踏み台とほぼ同形同大の天板１６及び天板１６の四隅に脚体１７ａ及び１７ｂをそれぞれ有するものである。当該第２補助踏み台１５の前方の一対の脚体１７ａは天板１６の左右の両側縁から垂下させ、当該第２補助踏み台１５を第１補助踏み台４の上に載せた際、前方の一対の脚体１７ａは、第１補助踏み台４の前方の一対の脚体６ａの後ろに位置する。
【００５２】
また、第２補助踏み台１５の後方の一対の脚体１７ｂは第１補助踏み台４の後方の一対の脚体６ｂの後方に位置する。従って、この分天板１６は、第１補助踏み台４の天板５より後方に長くなっている。また、図１３に示すように、第２補助踏み台１５の前方の一対の各脚体１７ａから横断面鍵型の係止片１８を回転自在に設け、定位置では、係止片１８の先端部が天板１６の左右両側縁の下方内側に突出し、また、図１４に示すように、回転位置では天板１６の左右両側縁下方に突出せず、従って第１補助踏み台４の後方の脚体６ｂを係止しない形状である。
【００５３】
従って、当該第２補助踏み台１５を、前記主踏み台１の後方に並べた第１補助踏み台４の後方に並べる際、主踏み台１の後方の一対の脚体３ｂ箇所を通過する際は、図１４に示すように、前記係止片１８を回転させて、先端部を前記脚体３ｂの外側面より外側にし、当該脚体３ｂを通過した際、図１３に示すように、前記係止片１８を定位置に回転させると当該係止片１８は前記第１補助踏み台４の後方の一対の各脚体６ｂを係止し、第２補助踏み台１５の後方への動きが前記係止片１８により規制される。
【００５４】
また、前記係止片１８と、脚体１７ａの間には、図１３及び図１４に示すように、バネ１９が設けられ、当該バネ１９は常時、前記係止片１８を定位置に位置するように付勢している。
【００５５】
また、前記第２補助踏み台１５の前方のいずれかの脚体１７ａと前記第１補助踏み台４の前方の脚体６ａとの間に着脱自在な係止手段を設けている。これは、前記実施例１の回転係止片８及びピン９と同様に、一方の脚体１７ａに基部を回転自在に軸支された回転係止片２０が設けられている。この回転係止片２０の一側縁には切欠きが設けられ、第１補助踏み台４の前方の脚体６ａに設けられたピン２１に前記切欠きを嵌めることにより、第２補助踏み台１５は補助踏み台４に係止される。
【実施例５】
【００５６】
また、図１５〜図１７はこの発明の実施例５を示す。この実施例５は、第２補助踏み台１５の天板１６を、第１補助踏み台４の天板５と同じ大きさにしたもので、後方の一対の脚体１７ｂを天板５の左右両側縁から垂下させたものである。他の構成は、実施例４と同じ構成である。
【００５７】
これらの実施例４及び５では、第２補助踏み台１５を設けたが、この発明では、第２補助踏み台１５と同様の第３、第４等の補助踏み台を付加して設けることができる。
【００５８】
上記実施例１では、踏み台によりこの発明を説明したが、この発明は、踏み台のほか、テーブル、机、作業台等名称にかかわらず、同様の構造であれば、すべてこの発明に含まれる。
【図面の簡単な説明】
【００５９】
【図１】この発明の実施例１の主踏み台の上に第１補助踏み台を載せた状態を示す斜視図である。
【図２】この発明の実施例１の主踏み台の上に第１補助踏み台を載せた状態における正面図である。
【図３】この発明の実施例１の主踏み台の後方に第１補助踏み台を引き出して並べた状態を示す斜視図である。
【図４】この発明の実施例１の主踏み台の後方に第１補助踏み台を引き出して並べた状態の平面図である。
【図５】この発明の実施例１の主踏み台の上に補助踏み台を載せた状態の平面図である。
【図６】この発明の実施例１の主踏み台と補助踏み台の接続箇所の側面図である。
【図７】この発明の実施例１の主踏み台と補助踏み台の接続箇所の中央縦断面図である。
【図８】この発明の実施例２の主踏み台と補助踏み台の接続箇所の側面図である。
【図９】この発明の実施例３の主踏み台の上に補助踏み台を載せた状態の側面図である。
【図１０】この発明の実施例４の主踏み台及び第１補助踏み台の上に第２補助踏み台を載せた状態を示す斜視図である。
【図１１】この発明の実施例４の主踏み台の後方に第１補助踏み台、第１補助踏み台の後方に第２補助踏み台をそれぞれ引き出して並べた状態を示す側面図である。
【図１２】この発明の実施例４の主踏み台の後方に第１補助踏み台、第１補助踏み台の後方に第２補助踏み台をそれぞれ引き出して並べた状態を示す平面図である。
【図１３】この発明の実施例４の第２補助踏み台の前方の脚体に設けた係止片の定位置状態を示す斜視図である。
【図１４】この発明の実施例４の第２補助踏み台の前方の脚体に設けた係止片の回転位置状態を示す斜視図である。
【図１５】この発明の実施例５の主踏み台及び第１補助踏み台の上に第２補助踏み台を載せた状態を示す斜視図である。
【図１６】この発明の実施例５の主踏み台の後方に第１補助踏み台、第１補助踏み台の後方に第２補助踏み台をそれぞれ引き出して並べた状態を示す側面図である。
【図１７】この発明の実施例５の主踏み台の後方に第１補助踏み台、第１補助踏み台の後方に第２補助踏み台をそれぞれ引き出して並べた状態を示す平面図である。
【符号の説明】
【００６０】
１      主踏み台                    ２      天板
３ａ    脚体                        ３ｂ    脚体
４      補助踏み台                  ５      天板
６ａ    脚体                        ６ｂ    脚体  
７      係止片                      ７´    係止片
８      回転係止片                  ８ａ    切欠き
９      ピン                        １０    補強用梁
１１    枠体                        １２    把持用透孔
１３    伸縮脚                      １３ａ  突起
１４    ガイド孔                    １５    第２補助踏み台
１６    天板                        １７ａ  脚体
１７ｂ  脚体                        １８    係止片
１９    バネ              
【図１】
2013129958.tif 000003
【図２】
2013129958.tif 000004
【図３】
2013129958.tif 000005
【図４】
2013129958.tif 000006
【図５】
2013129958.tif 000007
【図６】
2013129958.tif 000008
【図７】
2013129958.tif 000009
【図８】
2013129958.tif 000010
【図９】
2013129958.tif 000011
【図１０】
2013129958.tif 000012
【図１１】
2013129958.tif 000013
【図１２】
2013129958.tif 000014
【図１３】
2013129958.tif 000015
【図１４】
2013129958.tif 000016
【図１５】
2013129958.tif 000017
【図１６】
2013129958.tif 000018
【図１７】
2013129958.tif 000019